(57)【特許請求の範囲】
【請求項１】
ほぼ水平に固設される桟体に固定されるネクタイハンガーにおいて、
上記桟体に固定するための取付部を有する支持部材と、
該支持部材により水平面上の任意の一方向に移動可能に支持され、該任意の一方向に所定長さで形成された引っ掛け部を有するハンガー本体とを具備し、
前記桟体が長手方向をクローゼットの左右方向に取付けられ、前記ハンガー本体がクローゼットの前後方向に移動可能となっており、
また、前記ハンガー本体が、前記引っ掛け部の後側に繋がっていて前後方向に所定長さで形成された被支持辺部を有し、該被支持辺部が前記支持部材に設けられた貫通孔を挿通して移動可能に支持されていて、
更に、前記ハンガー本体が、棒部材の中央部がコ字状またはＵ字状に２つ折りされた第１の折り曲げ部と、更にそのように折り曲げられたものの途中がコ字状またはＵ字状に２つ折りされた第２の折り曲げ部とを有し、第１の折り曲げ部から第２の折り曲げ部までが前記引っ掛け部、第２の折り曲げ部から棒部材両端部までが被支持辺部としてそれぞれ形成されており、上記第１の折り曲げ部が前側に、第２の折り曲げ部が後側に配される状態で支持部材に支持されることを特徴とするネクタイハンガー。
【請求項２】
前記ハンガー本体の引っ掛け部は、前側が後側よりも少し高くなるように傾斜していることを特徴とする請求項１に記載のネクタイハンガー。
【請求項３】
前記支持部材には被支持辺部の前側の棒部材両端を挿通させ、かつ前後方向の移動を可能とする２つの貫通孔が形成され、上記棒部材両端部には抜け止めを兼ねる摘みが取付けられ、被支持辺部の後端寄りには、被支持辺部を構成する棒部材２箇所間に掛け渡し、かつハンガー本体の前進量を決める位置に補強片が設けられていることを特徴とする請求項１または２に記載のネクタイハンガー。
【請求項４】
前記引っ掛け部の上面には、滑り止め用の凹凸が設けられていることを特徴とする請求項１乃至３のいずれかに記載のネクタイハンガー。
【請求項５】
前記引っ掛け部には、ネクタイの両端部を垂らす状態で中間部が係止されるネクタイフックが引っ掛けられることを特徴とする請求項４に記載のネクタイハンガー。
【発明の詳細な説明】
【０００１】
【発明の属する技術分野】
本発明は、例えばクローゼット内に設けられ、多数のネクタイを引っ掛け得るネクタイハンガーに関する。
【０００２】
【従来の技術】
上述したネクタイハンガーとしては、ネクタイ引っ掛け部が、多数のネクタイを引っ掛け得るように、クローゼットの前後の水平方向に長い寸法で形成されたものが知られている。そして、かかるネクタイハンガーの取付けは、ネクタイハンガーが傾くこと或いは回転することを防止するとともに、引っ掛けたネクタイがずれることにより片側に寄って団子状となるのを抑制するために、クローゼット内に固定されたパイプ等からなる桟体に確実に固着させるように取付けられる方式が一般的である。
【０００３】
【発明が解決しようとする課題】
したがって、上述した従来のネクタイハンガーによる場合には、多数のネクタイを掛けて仕舞うことができるものの、ネクタイを探す際に不便であった。即ち、仕舞う際には、ネクタイ引っ掛け部が長いので、ネクタイを多数引っ掛けることができて便利である反面、ネクタイを探す際には多数引っ掛けたネクタイのうち前側のもので後側のものが隠れて見え難くなっても、前記桟体にネクタイハンガーが確実に固定されている故に、ネクタイハンガーを移動させることができないため、ネクタイを探すのに手間取るという欠点があった。
【０００４】
本発明は、このような従来技術の課題を解消するためになされたもので、ほぼ水平に固設される桟体に固着させても、ネクタイを簡単に探すことが可能なネクタイハンガーを提供することを目的とする。
【０００５】
【課題を解決するための手段】
本発明のネクタイハンガーは、ほぼ水平に固設される桟体に固定されるネクタイハンガーにおいて、上記桟体に固定するための取付部を有する支持部材と、該支持部材により水平面上の任意の一方向に移動可能に支持され、該任意の一方向に所定長さで形成された引っ掛け部を有するハンガー本体とを具備し、前記桟体が長手方向をクローゼットの左右方向に取付けられ、前記ハンガー本体がクローゼットの前後方向に移動可能となっており、また、前記ハンガー本体が、前記引っ掛け部の後側に繋がっていて前後方向に所定長さで形成された被支持辺部を有し、該被支持辺部が前記支持部材に設けられた貫通孔を挿通して移動可能に支持されていて、更に、前記ハンガー本体が、棒部材の中央部がコ字状またはＵ字状に２つ折りされた第１の折り曲げ部と、更にそのように折り曲げられたものの途中がコ字状またはＵ字状に２つ折りされた第２の折り曲げ部とを有し、第１の折り曲げ部から第２の折り曲げ部までが前記引っ掛け部、第２の折り曲げ部から棒部材両端部までが被支持辺部としてそれぞれ形成されており、上記第１の折り曲げ部が前側に、第２の折り曲げ部が後側に配される状態で支持部材に支持されることを特徴とする。
【０００６】
このネクタイハンガーによる場合には、ほぼ水平に固設される桟体に、取付部を介して支持部材を固定し、この支持部材を介してハンガー本体が取付けられるので、ハンガー本体は傾くこと或いは回転することが防止され、これによりハンガー本体の引っ掛け部に引っ掛けられたネクタイがずれることにより片側に寄って団子状となり難くすることが可能となる。また、使用に際しては、ハンガー本体を水平面上の任意の一方向に移動させることで、ネクタイを簡単に探すことが可能となる。
【０００７】
また、本発明のネクタイハンガーにおいて、前記桟体は長手方向をクローゼットの左右方向に取付けられ、前記ハンガー本体はクローゼットの前後方向に移動可能となっている構成とした場合には、ネクタイを探すときにハンガー本体をクローゼットの手前側に引き出し、不用のときは後側に押し込むことが可能となり、より好ましい。また、本発明のネクタイハンガーにおいて、前記ハンガー本体は、前記引っ掛け部の後側に繋がっていて前後方向に所定長さで形成された被支持辺部を有し、該被支持辺部が前記支持部材に設けられた貫通孔を挿通して移動可能に支持されている構成とした場合には、前後方向に所定長さで形成された被支持辺部と、その被支持辺部を挿通させる貫通孔とを備えればよく、簡単な構成でハンガー本体を前後方向に移動させることが可能となる。更に、本発明のネクタイハンガーにおいて、前記ハンガー本体は、棒部材の中央部がコ字状またはＵ字状に２つ折りされた第１の折り曲げ部と、更にそのように折り曲げられたものの途中がコ字状またはＵ字状に２つ折りされた第２の折り曲げ部とを有し、第１の折り曲げ部から第２の折り曲げ部までが前記引っ掛け部、第２の折り曲げ部から棒部材両端部までが被支持辺部としてそれぞれ形成されており、上記第１の折り曲げ部が前側に、第２の折り曲げ部が後側に配される状態で支持部材に支持される構成とした場合には、１本の棒部材を折り曲げ加工だけでハンガー本体を簡単に作製することが可能になる。
【０００８】
ここで、桟体には、丸パイプが代表的なものとして挙げられるが、中空、中実の別を問わず、断面円形、断面矩形状等のものが含まれる。また、棒部材には、丸パイプ又は丸棒などが挙げられるが、中空、中実を問わず、断面円形、断面矩形状のものが含まれる。
【０００９】
本発明のネクタイハンガーにおいて、前記ハンガー本体の引っ掛け部は、前側が後側よりも少し高くなるように傾斜している構成とすることができる。
【００１０】
この構成にあっては、引っ掛け部の後側は被支持辺部に繋がっていてネクタイが落ちる心配はないが、ネクタイが落ちる心配のある引っ掛け部の前側は後側よりも少し高くすることで、前側にネクタイが落ち難くすることができる。
【００１１】
本発明のネクタイハンガーにおいて、前記支持部材には被支持辺部の前側の棒部材両端を挿通させ、かつ前後方向の移動を可能とする２つの貫通孔が形成され、上記棒部材両端部には抜け止めを兼ねる摘みが取付けられ、被支持辺部の後端寄りには、被支持辺部を構成する棒部材２箇所間に掛け渡し、かつハンガー本体の前進量を決める位置に補強片が設けられている構成とすることができる。
【００１２】
この構成にあっては、支持部材に設けた貫通孔に挿通させた被支持辺部の前側は摘みにより、被支持辺部の後側は補強片により抜け止めされた状態で、これらの間でハンガー本体が移動可能とされる。
【００１３】
本発明のネクタイハンガーにおいて、前記引っ掛け部の上面には、滑り止め用の凹凸が設けられている構成とすることができる。
【００１４】
この構成にあっては、引っ掛け部がネクタイの重みで前側が少し下がっても、凹凸によりネクタイなどが前側へ滑り落ちるのが抑制されることとなる。
【００１５】
上記凹凸は、引っ掛け部の全長にわたり、凹凸状の加工を施すことにより或いは凸部としての突起を設けることにより形成してもよく、或いは、凸部としての突起を、所定間隔をあけて１又は２以上設けるようにしてもよい。
【００１６】
本発明のネクタイハンガーにおいて、前記引っ掛け部には、ネクタイの両端部を垂らす状態で中間部が係止されるネクタイフックが引っ掛けられる構成とすることができる。
【００１７】
この構成にあっては、ネクタイを係止したネクタイフックを用いて引っ掛け部に引っ掛ける場合に、そのネクタイフックが引っ掛け部に対して一般に滑り易い樹脂や金属で作製されていても、ネクタイフックを前記凹凸の存在で滑り止めすることが可能となる。
【００１８】
【発明の実施の形態】
以下、本発明の実施形態を具体的に説明する。
【００１９】
図１は本実施形態に係るネクタイハンガーが取付けられるクローゼットを示す斜視図、図２はそのネクタイハンガーを示す分解斜視図、図３はそのネクタイハンガーを示す正面図、図４はそのネクタイハンガーを示す平面図、図５はそのネクタイハンガーを示す右側面図である。
【００２０】
このネクタイハンガー１０は、クローゼット１内で、クローゼット１の左右方向に長手方向としてほぼ水平に固定された桟体、例えば本実施形態では丸パイプ２に固着されるものであって、丸パイプ２に固定するための取付部１１を有する支持部材１２と、支持部材１２により水平方向の移動可能に支持されたハンガー本体１３とを具備する。
【００２１】
上記取付部１１は、丸パイプ２の上側を覆う逆Ｕ字状のもので、両端部には水平部１１ａが設けられ、その水平部１１ａにはねじ孔１１ｂが形成されている。
【００２２】
上記支持部材１２は、概略直方体状に形成されたもので、前記ねじ孔１１ｂに螺入させるねじ２５を下側から上方向に通す通し孔１２ａが、クローゼット１の前後方向に間隔を開けて２つ形成されている。また、支持部材１２には、前後方向に貫通する２つの円形をした貫通孔１２ｂが丸パイプ２の長手方向に間隔をあけて設けられており、支持部材１２の上面には丸パイプ２の下面を受ける、断面円弧状をした丸パイプ受け１２ｃが凹状に設けられている。なお、上記ねじ２５の下端には、回転を容易にするためのハンドル２５ａが取付けられている。また、丸パイプ受け１２ｃは、図２において省略している。
【００２３】
上記ハンガー本体１３は、水平方向に所定長さで形成された被支持辺部１４と、この被支持辺部１４の後端と繋がっていてほぼ水平方向に所定長さで形成された引っ掛け部１５とを有する。引っ掛け部１５は、前側が後側よりも少し高くなるように角度θで傾斜しており（図５参照）、その上面には滑り止め用の凹凸、本実施形態では球状の突起１６が設けられている。
【００２４】
本実施形態のハンガー本体１３は、１本の棒部材、本実施形態では丸棒１７を折り曲げることで形成されている。具体的には、丸棒１７の中央部がＵ字状に２つ折りされた第１の折り曲げ部１８と、更にそのように折り曲げられたものの途中がＵ字状に２つ折りされた第２の折り曲げ部１９とを有し、第１の折り曲げ部１８から第２の折り曲げ部１９までが前記引っ掛け部１５として、第２の折り曲げ部１９から丸棒１７の両端部２０までが被支持辺部１４としてそれぞれ形成されている。なお、第１の折り曲げ部１８の中央部に山形に形成された上方突出部１８ａは、適当な時に形成すればよい。
【００２５】
そして、引っ掛け部１５として機能する第１の折り曲げ部１８から第２の折り曲げ部１９までの丸棒１７の２部分には、各上面に所定間隔を開けて球状の突起１６が複数、図示例では３つ、合計６つが設けられている。また、丸棒１７の両端部２０には、摘み２１が取付けられ、被支持辺部１４として機能する丸棒１７の２部分の後端寄りには、補強片２２が丸棒１７の２部分に掛け渡して取付けられている。この補強片２２は、第２の折り曲げ部１９の近傍部分が変形により互いに接離しないように補強するために形成されている。なお、引っ掛け部１５を構成する丸棒１７の２部分には、それぞれ図３に示すようにネクタイフック４が掛けられる。ネクタイフック４は、例えば樹脂または金属製のものであり、このネクタイフック４には、図６に示すようにネクタイ３が両端部を垂らした状態して中間部が係止される。
【００２６】
かかるネクタイハンガー１０は、以下のようにして組み立てられる。支持部材１２の貫通孔１２ｂに、丸棒１７の両端部２０を挿通し、その後に、丸棒１７の両端部２０に摘み２１を接着等により固定する。これによりハンガー本体１３は、支持部材１２に対し、摘み２１が支持部材１２の前面に接触する後退限位置と、補強片２２が支持部材１２の後面に接触する前進限位置との間で前後移動可能となる。なお、摘み２１は、丸棒１７の両端部２０に雄ねじを形成し、摘み２１に雌ねじを形成することで螺入させることで取付けるようにしてもよい。また、貫通孔１２ｂの断面形状は、ハンガー本体１３の棒部材の断面形状に応じたものとされる。例えば、ハンガー本体１３の棒部材に角棒を用いた場合には、角孔とされる。
【００２７】
このように組立られたネクタイハンガー１０は、以下のようにして丸パイプ２に取付けられる。即ち、支持部材１２の丸パイプ受け１２ｃを丸パイプ２の下側に位置させるとともに、取付部１１を丸パイプ２の上に被せ、その状態を保持したままねじ２５を下側から支持部材１２の貫通孔１２ｂを通し、取付部１１のねじ孔１１ｂに螺入させる。これにより、ハンガー本体１３がクローゼット１の前後方向に移動可能とされて、ネクタイハンガー１０が丸パイプ２に固定される。
【００２８】
したがって、本実施形態のネクタイハンガーによる場合には、クローゼット１内にほぼ水平に固定された丸パイプ２に、取付部１１を介して支持部材１２を固定し、この支持部材１２を介してハンガー本体１３が取付けられるので、ハンガー本体１３は傾くこと或いは回転することが防止され、これによりハンガー本体１３の引っ掛け部１５に引っ掛けられたネクタイフック４がずれて片側に寄って団子状となり難くすることが可能となる。また、使用に際しては、ハンガー本体１５を前後方向に移動させることで、後側に引っ掛けたネクタイ３を簡単に探すことが可能となる。
【００２９】
また、本実施形態においては、ハンガー本体１３を支持部材１２に移動可能に支持する構成とするためには、水平方向に所定長さで形成された被支持辺部１４と、その被支持辺部１４を挿通させる貫通孔１２ｂとを備えればよく、簡単な構成でハンガー本体１３を水平方向に移動させることが可能となる。
【００３０】
また、本実施形態のネクタイハンガーにおいて、ハンガー本体１３の引っ掛け部１５は、前側が後側よりも少し高くなるように傾斜しているので、前側にネクタイ３が落ち難くすることができる。なお、引っ掛け部１５の後側は被支持辺部１４に繋がっていてネクタイフック４が落ちる心配はない。更に、引っ掛け部１５の上面には、滑り止め用の突起１６が設けられているので、引っ掛け部１５がネクタイ３の重みで前側が少し下がっても、突起１６によりネクタイフック４が前側に滑り落ちるのを止めることが可能となる。
【００３１】
なお、上述した実施形態では、ハンガー本体をクローゼットの前後方向に移動可能として桟体にネクタイハンガーが固定される構成としているが、本発明はこれに限らず、ハンガー本体をクローゼットの斜め前後方向に移動可能としてもよく、或いは、ハンガー本体をクローゼットの左右方向に移動可能としてもよい。
【００３２】
また、上述した実施形態ではネクタイハンガーの引っ掛け部に、ネクタイが係止されたネクタイフックを引っ掛けるようにしているが、本発明のネクタイハンガーの引っ掛け部には、ネクタイフックを用いることなく直接ネクタイを引っ掛ける場合にも用いることができるのは勿論である。また、ネクタイフックを用いる場合にあっても、図６に示すものとは異なるものを用いても、同様の効果が得られることは勿論である。
【００３３】
また、上述した実施形態ではハンガー本体の第１の折り曲げ部および第２の折り曲げ部における折り曲げ形状をＵ字状にしているが、本発明はこれに限らず、コ字状に折り曲げるようにしてもよい。
【００３４】
また、上述した実施形態ではハンガー本体を丸棒等の棒部材を折り曲げて形成しているが、本発明はこれに限らず、引っ掛け部と被支持辺部との両方を別体に形成し、これらの後側とされる部分を連結片で連結したものを使用することもできる。また、引っ掛け部の本数は、１または２以上の任意の本数としても構わない。
【００３５】
【発明の効果】
以上詳述したように、本発明による場合には、ほぼ水平に固設される桟体に、取付部を介して支持部材を固定し、この支持部材を介してハンガー本体が取付けられるので、ハンガー本体は傾くこと或いは回転することが防止され、これによりハンガー本体の引っ掛け部に引っ掛けられたネクタイがずれることにより片側に寄って団子状となり難くすることが可能となる。また、使用に際しては、ハンガー本体を水平面上の任意の一方向に移動させることで、ネクタイを簡単に探すことが可能となる。また、本発明のネクタイハンガーにおいて、前記桟体は長手方向をクローゼットの左右方向に取付けられ、前記ハンガー本体はクローゼットの前後方向に移動可能となっている構成とした場合には、ネクタイを探すときにハンガー本体をクローゼットの手前側に引き出し、不用のときは後側に押し込むことが可能となり、より好ましい。また、本発明のネクタイハンガーにおいて、前記ハンガー本体は、前記引っ掛け部の後側に繋がっていて前後方向に所定長さで形成された被支持辺部を有し、該被支持辺部が前記支持部材に設けられた貫通孔を挿通して移動可能に支持されている構成とした場合には、前後方向に所定長さで形成された被支持辺部と、その被支持辺部を挿通させる貫通孔とを備えればよく、簡単な構成でハンガー本体を前後方向に移動させることが可能となる。更に、本発明のネクタイハンガーにおいて、前記ハンガー本体は、棒部材の中央部がコ字状またはＵ字状に２つ折りされた第１の折り曲げ部と、更にそのように折り曲げられたものの途中がコ字状またはＵ字状に２つ折りされた第２の折り曲げ部とを有し、第１の折り曲げ部から第２の折り曲げ部までが前記引っ掛け部、第２の折り曲げ部から棒部材両端部までが被支持辺部としてそれぞれ形成されており、上記第１の折り曲げ部が前側に、第２の折り曲げ部が後側に配される状態で支持部材に支持される構成とした場合には、１本の棒部材を折り曲げ加工だけでハンガー本体を簡単に作製することが可能になる。
【図面の簡単な説明】
【図１】  本発明の一実施形態に係るネクタイハンガーが取付けられるクローゼットを示す斜視図である。
【図２】  本発明の一実施形態に係るネクタイハンガーを示す分解斜視図である。
【図３】  図２のネクタイハンガーを示す正面図である。
【図４】  図２のネクタイハンガーを示す平面図である。
【図５】  図２のネクタイハンガーを示す右側面図である。
【図６】  （ａ）はネクタイフックに対するネクタイの係止状態を示す正面図、（ｂ）はその右側面図である。
【符号の説明】
１  クローゼット
２  丸パイプ（桟体）
３  ネクタイ
４  ネクタイフック
１０  ネクタイハンガー
１１  取付部
１２  支持部材
１３  ハンガー本体
１４  被支持辺部
１５  引っ掛け部
１６  突起
１７  丸棒（棒部材）
２１  摘み
２２  補強片
【図１】
0004005842.tif 000002
【図２】
0004005842.tif 000003
【図３】
0004005842.tif 000004
【図４】
0004005842.tif 000005
【図５】
0004005842.tif 000006
【図６】
0004005842.tif 000007